(57)【特許請求の範囲】
【請求項１】
双方向光サブアセンブリであって、
前記双方向光サブアセンブリは、送信器用光路サブアセンブリと、受信器用光サブアセンブリと、波長分割多重化サブアセンブリと、光ファイバインタフェースとを備え、
前記送信器用光路サブアセンブリは、放射光を生成し、前記放射光を前記波長分割多重化サブアセンブリに供給するように構成され、
前記波長分割多重化サブアセンブリは、前記送信器用光路サブアセンブリからの前記放射光を前記光ファイバインタフェースに透過的に送信し、前記光ファイバインタフェースからの受信光を前記受信器用光サブアセンブリに反射するように構成され、
前記光ファイバインタフェースは、前記波長分割多重化サブアセンブリからの前記放射光を外部に送信し、前記外部から受信した受信光を前記波長分割多重化サブアセンブリに送信するように構成され、
前記受信器用光サブアセンブリは、前記波長分割多重化サブアセンブリにより反射された前記受信光を受信するように構成され、
前記波長分割多重化サブアセンブリは受信用偏向プリズムを有し、前記受信用偏向プリズムは、第１の屈折面と、第１の反射面と、第２の屈折面と、第３の屈折面とを含み、
前記第１の屈折面は前記送信器用光路サブアセンブリに面して配置され、前記第１の屈折面には膜が設けられ、前記膜は、前記放射光を透過し且つ前記受信光を反射するように構成され、
前記第１の反射面は、前記膜により反射された前記受信光を前記第３の屈折面に反射するように構成され、
前記第２の屈折面は前記光ファイバインタフェースに面して配置され、前記第２の屈折面は、前記第１の屈折面により透過的に送信された前記放射光を前記光ファイバインタフェースに送信し、前記光ファイバインタフェースからの前記受信光を前記第１の屈折面に伝搬させるように構成され、
前記第３の屈折面は前記受信器用光サブアセンブリに面して配置され、前記第３の屈折面は、前記第１の屈折面により反射された前記受信光を前記受信器用光サブアセンブリに伝搬させるように構成され、
前記受信器用光サブアセンブリは、前記第３の屈折面に面するｎ個の受信用光分離膜を有し、ｎは受信光の経路数であり、ｎ≧２であり、
ｉ＜ｎの場合、第ｉの受信用光分離膜が、前記第３の屈折面によって伝搬する受信光の１つの経路を透過的に送信し、受信光の別の経路を前記受信用偏向プリズムの第２の反射面に反射するように構成され、前記第２の反射面は、受信光の前記別の経路を反射し、受信光の前記別の経路を前記第３の屈折面を介して第（ｉ＋１）の受信用光分離膜に伝搬させるように構成され、１≦ｉ≦ｎであり、第１の受信用光分離膜が前記ｎ個の受信用光分離膜のうち前記送信器用光路サブアセンブリに面する膜である、又は、
ｉ＝ｎの場合、前記第ｉの受信用光分離膜は、前記第３の屈折面によって伝搬する受信光の１つの経路を透過的に送信するように構成される、
双方向光サブアセンブリ。
【請求項２】
前記波長分割多重化サブアセンブリは平面光波回路を有する、請求項１に記載の双方向光サブアセンブリ。
【請求項３】
双方向光サブアセンブリであって、
前記双方向光サブアセンブリは、送信器用光路サブアセンブリと、受信器用光サブアセンブリと、波長分割多重化サブアセンブリと、光ファイバインタフェースとを備え、
前記送信器用光路サブアセンブリは、放射光を生成し、前記放射光を前記波長分割多重化サブアセンブリに供給するように構成され、
前記波長分割多重化サブアセンブリは、前記送信器用光路サブアセンブリからの前記放射光を前記光ファイバインタフェースに透過的に送信し、前記光ファイバインタフェースからの受信光を前記受信器用光サブアセンブリに反射するように構成され、
前記光ファイバインタフェースは、前記波長分割多重化サブアセンブリからの前記放射光を外部に送信し、前記外部から受信した受信光を前記波長分割多重化サブアセンブリに送信するように構成され、
前記受信器用光サブアセンブリは、前記波長分割多重化サブアセンブリにより反射された前記受信光を受信するように構成され、
前記波長分割多重化サブアセンブリは並んで配置されたｎ個の予め設けられた膜を有し、ｎは受信光の経路数であり、ｎ≧２であり、それぞれの予め設けられた膜は、前記放射光を透過的に送信するように構成され、
ｊ＜ｎの場合、第ｊの予め設けられた膜が、受信光の様々な経路のうちの１つを前記受信器用光サブアセンブリに反射し、受信光の別の経路を第（ｊ＋１）の予め設けられた膜に透過的に送信するように構成され、１≦ｊ≦ｎであり、第１の予め設けられた膜が、前記ｎ個の予め設けられた膜のうち前記光ファイバインタフェースに面する膜である、又は、
ｊ＝ｎの場合、前記第ｊの予め設けられた膜は、第（ｊ−１）の予め設けられた膜により透過的に送信された受信光の１つの経路を前記受信器用光サブアセンブリに反射するように構成される、双方向光サブアセンブリ。
【請求項４】
前記波長分割多重化サブアセンブリ及び前記送信器用光路サブアセンブリは第１の方向に並んで配置され、前記波長分割多重化サブアセンブリ及び前記受信器用光サブアセンブリは第２の方向に並んで配置され、前記第１の方向は前記第２の方向に対して垂直である、請求項１から３のいずれか一項に記載の双方向光サブアセンブリ。
【請求項５】
双方向光サブアセンブリであって、
前記双方向光サブアセンブリは、送信器用光路サブアセンブリと、受信器用光サブアセンブリと、波長分割多重化サブアセンブリと、光ファイバインタフェースとを備え、
前記送信器用光路サブアセンブリは、放射光を生成し、前記放射光を前記波長分割多重化サブアセンブリに供給するように構成され、
前記波長分割多重化サブアセンブリは、前記送信器用光路サブアセンブリからの前記放射光を前記光ファイバインタフェースに透過的に送信し、前記光ファイバインタフェースからの受信光を前記受信器用光サブアセンブリに反射するように構成され、
前記光ファイバインタフェースは、前記波長分割多重化サブアセンブリからの前記放射光を外部に送信し、前記外部から受信した受信光を前記波長分割多重化サブアセンブリに送信するように構成され、
前記受信器用光サブアセンブリは、前記波長分割多重化サブアセンブリにより反射された前記受信光を受信するように構成され、
前記波長分割多重化サブアセンブリは第１の光路偏向コンポーネントと第２の光路偏向コンポーネントとを有し、前記第１の光路偏向コンポーネントは、前記放射光を前記光ファイバインタフェースに伝搬させ、前記光ファイバインタフェースにより受信された前記受信光を前記第２の光路偏向コンポーネントを介して前記受信器用光サブアセンブリに伝搬させるように構成され、 前記第１の光路偏向コンポーネント及び前記送信器用光路サブアセンブリは第１の方向に並んで配置され、前記第２の光路偏向コンポーネント及び前記受信器用光サブアセンブリは前記第１の方向に並んで配置され、前記送信器用光路サブアセンブリ及び前記受信器用光サブアセンブリは第２の方向に並んで配置され、前記第２の方向は前記第１の方向に対して垂直であり、
前記第１の光路偏向コンポーネント及び前記第２の光路偏向コンポーネントは、前記第２の方向に並んで配置され、
前記第１の光路偏向コンポーネントは、前記送信器用光路サブアセンブリに面する第１の面を有し、前記第１の面は、前記送信器用光路サブアセンブリからの前記放射光を前記光ファイバインタフェースに透過的に送信し、前記光ファイバインタフェースからの前記受信光を反射して前記第２の光路偏向コンポーネントに送信し、
前記第２の光路偏向コンポーネントは、前記光ファイバインタフェースに面する第２の面を有し、前記第２の面は、前記第１の面により反射された前記受信光を反射して前記受信器用光サブアセンブリに送信する、双方向光サブアセンブリ。
【請求項６】
前記第１の光路偏向コンポーネントは、４５°光分離プリズムまたは４５°光分離膜であり、前記第２の光路偏向コンポーネントは、偏向プリズムまたは偏向膜である、請求項５に記載の双方向光サブアセンブリ。
【請求項７】
宅内光回線終端装置であって、前記宅内光回線終端装置は請求項１から６のいずれか一項に記載の双方向光サブアセンブリを備える、宅内光回線終端装置。
【請求項８】
局内光回線終端装置であって、前記局内光回線終端装置は請求項１から６のいずれか一項に記載の双方向光サブアセンブリを備える、局内光回線終端装置。
【請求項９】
宅内光回線終端装置と局内光回線終端装置とを備える受動光ネットワークシステムであって、前記宅内光回線終端装置及び／又は前記局内光回線終端装置は、請求項１から６のいずれか一項に記載の双方向光サブアセンブリを有する、受動光ネットワークシステム。
【発明の詳細な説明】
【技術分野】
【０００１】
本願は、光ファイバ通信技術の分野に関し、具体的には、双方向光サブアセンブリ、宅内光回線終端装置、局内光回線終端装置、及び受動光ネットワークシステムに関する。
【背景技術】
【０００２】
受動光ネットワーク（Ｐａｓｓｉｖｅ  Ｏｐｔｉｃａｌ  Ｎｅｔｗｏｒｋ、ＰＯＮ）では、上り方向及び下り方向に同一の光ファイバが用いられる。既存のＰＯＮでは通常、双方向光サブアセンブリ（Ｂｉ−ｄｉｒｅｃｔｉｏｎａｌ  Ｏｐｔｉｃａｌ  Ｓｕｂ−ａｓｓｅｍｂｌｙ、ＢＯＳＡ）を用いて一芯双方向通信を実現する。ＢＯＳＡは、送信器用光サブアセンブリ（Ｔｒａｎｓｍｉｔｔｅｒ  Ｏｐｔｉｃａｌ  Ｓｕｂ−ａｓｓｅｍｂｌｙ、ＴＯＳＡ）及び受信器用光サブアセンブリ（Ｒｅｃｅｉｖｉｎｇ  Ｏｐｔｉｃａｌ  Ｓｕｂ−Ａｓｓｅｍｂｌｙ、ＲＯＳＡ）という２つのサブアセンブリを組み込んでいる。波長分割多重化サブアセンブリが、ＴＯＳＡ及びＲＯＳＡのそれぞれに配置される。
【０００３】
しかしながら、光ファイバ接続の帯域幅要件が増え続けているため、サイズが比較的大きい既存のＢＯＳＡでは、５０Ｇ又は１００Ｇのイーサネット（登録商標）受動光ネットワーク（Ｅｔｈｅｒｎｅｔ（登録商標）  Ｐａｓｓｉｖｅ  Ｏｐｔｉｃａｌ  Ｎｅｔｗｏｒｋ、ＥＰＯＮ）などの設計要件を満たすことができない。
【発明の概要】
【０００４】
ＢＯＳＡのサイズが比較的大きいという先行技術の問題を解決するために、本発明の実施形態が、ＢＯＳＡ、宅内光回線終端装置（Ｏｐｔｉｃａｌ  Ｎｅｔｗｏｒｋ  Ｕｎｉｔ、ＯＮＵ）、局内光回線終端装置（Ｏｐｔｉｃａｌ  Ｌｉｎｅ  Ｔｅｒｍｉｎａｌ、ＯＬＴ）、及び受動光ネットワークシステムを提供する。この技術的解決手段は、以下のとおりである。
【０００５】
第１の態様によれば、ＢＯＳＡが提供される。ＢＯＳＡは、送信器用光路サブアセンブリ、受信器用光サブアセンブリ、波長分割多重化サブアセンブリ、及び光ファイバインタフェースを含み、送信器用光路サブアセンブリは、放射光を生成し、当該放射光を波長分割多重化サブアセンブリに供給するように構成され、波長分割多重化サブアセンブリは、送信器用光路サブアセンブリからの放射光を光ファイバインタフェースに透過的に送信し、光ファイバインタフェースからの受信光を受信器用光サブアセンブリに反射するように構成され、光ファイバインタフェースは、波長分割多重化サブアセンブリからの放射光を外部に送信し、外部から受信した受信光を波長分割多重化サブアセンブリに送信するように構成され、受信器用光サブアセンブリは、波長分割多重化サブアセンブリで反射された受信光を受信するように構成される。
【０００６】
放射光は、ＢＯＳＡ内の送信器用光路サブアセンブリにより生成され且つ外部に放射される光である。通常、放射光の経路がｍ個（ｍは正の整数）あってよく、放射光の各経路は１つの波長に対応する。例えば、波長がλ１、λ２、λ３、及びλ４となる放射光の経路が４つある。同様に受信光は、ＢＯＳＡ内の受信器用光サブアセンブリにより外部から受信される光である。通常、受信光の経路がｎ個あってよく、受信光の各経路は１つの波長に対応する。例えば、波長がλ５、λ６、λ７、及びλ８となる受信光の経路が４つある。さらに、ｍ及びｎは同じであっても、異なっていてもよい。これは、限定されるものではない。
【０００７】
波長分割多重化サブアセンブリは、送信器用光路サブアセンブリからの放射光を光ファイバインタフェースに透過的に送信し、光ファイバインタフェースからの受信光を受信器用光サブアセンブリに反射する。すなわち、送信器用光路サブアセンブリ及び受信器用光サブアセンブリは、１つの波長分割多重化サブアセンブリを共有する。これにより、ＢＯＳＡ内のサブアセンブリの数が減少し、ＢＯＳＡのサイズが縮小されるので、ＢＯＳＡのサイズが比較的大きいために使用要件を満たすことができないという先行技術の問題が解決され、ＢＯＳＡのサイズ縮小の効果が達成される。
【０００８】
第１の実行可能な実装例において、波長分割多重化サブアセンブリは受信用偏向プリズムを含み、受信用偏向プリズムは、第１の屈折面、第１の反射面、第２の屈折面、及び第３の屈折面を含む。第１の屈折面は送信器用光路サブアセンブリに面して配置され、第１の屈折面には膜が設けられ、当該膜は、放射光を十分に透過させ且つ受信光を十分に反射するように構成される。第１の反射面は、膜により反射された受信光を第３の屈折面に反射するように構成される。第２の屈折面は光ファイバインタフェースに面して配置され、第２の屈折面は、第１の屈折面により透過的に送信された放射光を光ファイバインタフェースに伝搬させ、光ファイバインタフェースからの受信光を第１の屈折面に伝搬させるように構成される。第３の屈折面は受信器用光サブアセンブリに面して配置され、第３の屈折面は、第１の屈折面により反射された受信光を受信器用光サブアセンブリに伝搬させるように構成される。
【０００９】
送信器用光路サブアセンブリに面した受信用偏向プリズムの表面に設けられている膜が、放射光を十分に透過させ且つ受信光を十分に反射することは、波長が放射光の波長である光が、膜を透過した後に透過的に送信され得ること、及び、波長が受信光の波長である光が、膜を透過した後に膜によって反射されることを意味する。例えば、波長がλ１、λ２、λ３、及びλ４となる放射光の経路が４つあり、波長がλ５、λ６、λ７、及びλ８となる受信光の経路が４つあると仮定する。この場合、波長がλ１、λ２、λ３、及びλ４の光が膜を透過した後に、当該光は膜を透過し、継続して送信され得る。一方、波長がλ５、λ６、λ７、及びλ８の光が膜を透過した後に、当該膜は当該光を反射する。
【００１０】
実際の実装では、送信器用光路サブアセンブリに面する受信用偏向プリズムの表面に膜がメッキされてもよく、又は、送信器用光路サブアセンブリに面する受信用偏向プリズムの表面に膜が塗られてもよく、又は、送信器用光路サブアセンブリに面する受信用偏向プリズムの表面に膜が貼られてももちろんよい。これは、限定されるものではない。
【００１１】
送信器用光路サブアセンブリに面した受信用偏向プリズムの表面にメッキされている膜は、放射光を十分に透過し且つ受信光を十分に反射する。このように、放射光の波長分割多重化（Ｗａｖｅｌｅｎｇｔｈ  Ｄｉｖｉｓｉｏｎ  Ｍｕｌｔｉｐｌｅｘｉｎｇ、ＷＤＭ）と受信光の波長分割多重化とが両方とも、波長分割多重化サブアセンブリ内の受信用偏向プリズムを用いて実現されるので、ＷＤＭサブアセンブリを送信器用光路サブアセンブリ及び受信器用光サブアセンブリのために別々に配置する必要はない。これにより、ＢＯＳＡのサイズが縮小される。
【００１２】
第１の実行可能な実装例に関連して、第２の実行可能な実装例では、受信器用光サブアセンブリは、第３の屈折面に面するｎ個の受信用光分離膜を含み、ｉ＜ｎである場合、第ｉの受信用光分離膜が、第３の屈折面によって伝搬する受信光の１つの経路を透過的に送信し、受信光の別の経路を受信用偏向プリズムの第２の反射面に反射するように構成される。第２の反射面は、受信光の別の経路を反射し、受信光の別の経路を第（ｉ＋１）の受信用光分離膜に第３の屈折面を介して伝搬させるように構成される。ここで、１≦ｉ≦ｎであり、第１の受信用光分離膜がｎ個の受信用光分離膜のうち送信器用光路サブアセンブリに面する膜である。又は、ｉ＝ｎの場合、第ｉの受信用光分離膜は、第３の屈折面によって伝搬する受信光の１つの経路を透過的に送信するように構成される。
【００１３】
第３の実行可能な実装例において、波長分割多重化サブアセンブリは平面光波回路（Ｐｌａｎａｒ  Ｌｉｇｈｔｗａｖｅ  Ｃｉｒｃｕｉｔ、ＰＬＣ）を含む。
【００１４】
第４の実行可能な実装例において、波長分割多重化サブアセンブリは、並んで配置されているｎ個の予め設けられた膜を含み、それぞれの予め設けられた膜は、放射光を透過的に送信するように構成され、ｊ＜ｎの場合、第ｊの予め設けられた膜は、受信光の様々な経路のうちの１つを受信器用光サブアセンブリに反射し、受信光の別の経路を第（ｊ＋１）の予め設けられた膜に透過的に送信するように構成され、ここで、１≦ｊ≦ｎであり、第１の予め設けられた膜は、ｎ個の予め設けられた膜のうち光ファイバインタフェースに面する膜である、又は、ｊ＝ｎの場合、第ｊの予め設けられた膜は、第（ｊ−１）の予め設けられた膜により透過的に送信された受信光の１つの経路を受信器用光サブアセンブリに反射するように構成される。
【００１５】
受信器用光サブアセンブリ内のｎ個の予め設けられた膜のそれぞれは、受信光の１つの経路を反射し、放射光及び受信光の別の経路を透過的に送信する。このように、送信器用光路サブアセンブリのＷＤＭと受信器用光サブアセンブリのＷＤＭとは両方とも、ｎ個の予め設けられた膜を用いて実現されるので、ＷＤＭサブアセンブリを送信器用光路サブアセンブリ及び受信器用光サブアセンブリのために別々に配置する必要はない。これにより、ＢＯＳＡのサイズが縮小される。
【００１６】
第１の実行可能な実装例、第２の実行可能な実装例、第３の実行可能な実装例、及び第４の実行可能な実装例に関連して、第５の実行可能な実装例では、波長分割多重化サブアセンブリ及び送信器用光路サブアセンブリは第１の方向に並んで配置され、波長分割多重化サブアセンブリ及び受信器用光サブアセンブリは第２の方向に並んで配置され、第１の方向は第２の方向に対して垂直である。
【００１７】
第６の実行可能な実装例において、波長分割多重化サブアセンブリは、第１の光路偏向コンポーネント及び第２の光路偏向コンポーネントを含み、第１の光路偏向コンポーネントは、放射光を光ファイバインタフェースに伝搬させ、光ファイバインタフェースにより受信された受信光を第２の光路偏向コンポーネントを介して受信器用光サブアセンブリに伝搬させるように構成される。
【００１８】
第６の実行可能な実装例に関連して、第７の実行可能な実装例では、第１の光路偏向コンポーネント及び送信器用光路サブアセンブリは第１の方向に並んで配置され、第２の光路偏向コンポーネント及び受信器用光サブアセンブリは第１の方向に並んで配置され、送信器用光路サブアセンブリ及び受信器用光サブアセンブリは第２の方向に並んで配置され、第２の方向は第１の方向に対して垂直である。
【００１９】
第１の態様及び第１の態様の様々な実行可能な実装例のうちのいずれか１つに関連して、第８の実行可能な実装例では、光ファイバインタフェースはコリメート光レセプタクルであってよい。コリメート光レセプタクルは、送信器及び受信器の結合効率を向上させ、受信器の感度を向上させるのに用いられる。
【００２０】
第９の実行可能な実装例において、送信器用光路サブアセンブリは光路偏向コンポーネントを含み、光路偏向コンポーネントは送信用偏向プリズム又はＰＬＣである。
【００２１】
第２の態様によれば、ＯＮＵが提供され、ＯＮＵは第１の態様によるＢＯＳＡを含む。
【００２２】
第３の態様によれば、ＯＬＴが提供され、ＯＬＴは第１の態様によるＢＯＳＡを含む。
【００２３】
第４の態様によれば、受動光ネットワークシステムが提供され、本システムはＯＮＵ及びＯＬＴを含んでよい。ＯＮＵは第１の態様によるＢＯＳＡを含んでよく、且つ／又は、ＯＬＴは第１の態様によるＢＯＳＡを含む。
【図面の簡単な説明】
【００２４】
【図１】本発明の実施形態によるＢＯＳＡに関連した実装環境の概略図である。
【００２５】
【図２】本発明の実施形態によるＢＯＳＡに関連した１００ＧのＥＰＯＮについてのアーキテクチャ図である。
【００２６】
【図３】本発明の一実施形態によるＢＯＳＡの概略図である。
【００２７】
【図４】本発明の別の実施形態によるＢＯＳＡの概略図である。
【００２８】
【図５】本発明の別の実施形態による、予め設けられた膜と受信器用光サブアセンブリとの間の位置関係の概略図である。
【００２９】
【図６】本発明のさらに別の実施形態によるＢＯＳＡの概略図である。
【００３０】
【図７】本発明のさらに別の実施形態によるＢＯＳＡの概略図である。
【図８】本発明のさらに別の実施形態によるＢＯＳＡの概略図である。
【図９】本発明のさらに別の実施形態によるＢＯＳＡの概略図である。
【発明を実施するための形態】
【００３１】
図１を参照すると、本発明の一実施形態が受動光ネットワークシステムを提供する。図１に示すように、受動光ネットワークシステムは、ＯＬＴ１２０、光分配ネットワーク（Ｏｐｔｉｃａｌ  Ｄｉｓｔｒｉｂｕｔｉｏｎ  Ｎｅｔｗｏｒｋ、ＯＤＮ）１４０、及びＯＮＵ１６０を含んでよい。
【００３２】
ＯＬＴ１２０は、光接続ネットワーク（Ｏｐｔｉｃａｌ  Ａｃｃｅｓｓ  Ｎｅｔｗｏｒｋ、ＯＡＮ）の中核であり、複数のサービスを提供するプラットフォームである。実際の実装では、ＯＬＴ１２０は通常、本社に配置され、ＯＡＮのネットワーク側インタフェースを提供するように構成される。ＯＬＴ１２０の主な機能は以下のとおりである。まずＰＯＮネットワークの上り接続を完了するために上位層ネットワークに接続し、次に、ＯＤＮ１４０を用いてＯＮＵ１６０に接続して、制御、管理、及び測距などの機能をＯＮＵ１６０のために実装する。実際の実装では、光モジュールがＯＬＴ１２０に配置される。光モジュールは、電気信号を光信号に変換して、光信号を光ファイバで送信するように構成される。
【００３３】
ＯＤＮ１４０は、ＯＬＴ１２０をＯＮＵ１６０に接続する光伝送媒体である。実際の実装では、ＯＤＮ１４０は、受動コンポーネント、例えばスプリッタ（ｓｐｌｉｔｔｅｒ）を含んでよい。
【００３４】
ＯＮＵ１６０は、光ネットワークにおけるユーザ側装置である。実際の実装では、ＯＮＵ１６０は通常、ユーザ側に配置され、ＯＡＮのユーザ側インタフェースを提供するように構成され、ＯＬＴ１２０と協働してイーサネット（登録商標）層２及びイーサネット（登録商標）層３の機能を実装し、音声サービス、データサービス、及びマルチメディアサービスをユーザに提供する。実際の実装では、光モジュールがＯＮＵ１６０に配置される。光モジュールは、電気信号を光信号に変換して、光信号を光ファイバで送信するように構成される。実際の実装では、複数のＯＮＵ１６０があってよい。図１では、ｋ個のＯＮＵが一例として用いられており、ｋは正の整数である。
【００３５】
前述の受動光ネットワークは、イーサネット（登録商標）受動光ネットワーク（Ｅｔｈｅｒｎｅｔ（登録商標）  ＰＯＮ、ＥＰＯＮ）、ギガビット対応受動光ネットワーク（Ｇｉｇａｂｉｔ−Ｃａｐａｂｌｅ  ＰＯＮ、ＧＰＯＮ）、又はＸＧ−ＰＯＮなどであってよい。これは、本実施形態において限定されるものではない。さらに、ＯＬＴ１２０の光モジュールは、以下の実施形態において提供される双方向光サブアセンブリを含んでよく、又はＯＮＵ１６０の光モジュールは、以下の実施形態において提供される双方向光サブアセンブリを含む。もちろん、ＯＬＴ１２０の光モジュール及びＯＮＵ１６０の光モジュールはそれぞれ、以下の実施形態において提供される双方向光サブアセンブリをさらに含んでよい。これは、本実施形態において限定されるものではない。
【００３６】
受動光ネットワークシステムが１００ＧのＥＰＯＮである一例が、用いられる。図２は、１００ＧのＥＰＯＮのアーキテクチャを示す。図２に示すように、光トランシーバモジュールの各経路が２５Ｇの帯域幅を実装する場合、ＯＬＴが４経路の光トランシーバモジュールを含んでよい。４経路の光トランシーバモジュールは、以下の実施形態において提供される双方向光サブアセンブリの実装例を含んでよい。ＯＮＵが、実際の使用要件に基づいて、２５Ｇ、５０Ｇ、１００Ｇ、又はさらに大きい速度を有してよい。すなわち、ＯＮＵの光トランシーバモジュールは、１つの経路、２つの経路、４つの経路、又はさらに多くの経路を有してよい。ＯＮＵの光トランシーバモジュールが２つの経路、４つの経路、又はさらに多くの経路を有する場合、光トランシーバモジュールは、以下の実施形態における双方向光サブアセンブリを用いて実現されてよい。
【００３７】
図３は、本発明の一実施形態による双方向光サブアセンブリＢＯＳＡの概略図である。図３に示すように、当該ＢＯＳＡは、送信器用光路サブアセンブリ３１０、受信器用光サブアセンブリ３２０、波長分割多重化サブアセンブリ３３０、及び光ファイバインタフェース３４０を含んでよい。
【００３８】
図３に示すように、送信器用光路サブアセンブリ３１０及び受信器用光サブアセンブリ３２０は、第１の方向１１に並んで配置される。波長分割多重化サブアセンブリ３３０は受信用偏向プリズムであってよい。図３に示すように、受信用偏向プリズム３３０及び送信器用光路サブアセンブリ３１０は第１の方向１１に並んで配置され、受信用偏向プリズム３３０及び受信器用光サブアセンブリ３２０は第２の方向２２に並んで配置される。第１の方向１１は第２の方向２２に対して垂直である。本実施形態において並んで配置されることは、厳密に言えば並列になった配置であってもよく（すなわち、並列の対象物が完全に整列している）、又は第２の方向での交差を意味してもよい。これは、限定されるものではない。
【００３９】
受信用偏向プリズム３３０は、送信器用光路サブアセンブリ３１０による生成されて放射された放射光を受信し、受信した放射光を光ファイバインタフェース３４０を介して外部に送信してよい。それに加えて、受信用偏向プリズム３３０はさらに、光ファイバインタフェース３４０により外部から受信された受信光を受信器用光サブアセンブリ３２０に送信してよい。
【００４０】
受信用偏向プリズム３３０は３次元プリズムである。受信用偏向プリズム３３０の形状及び構造は、本実施形態において限定されるものではない。さらに実際の実装では、図３に示すように、受信用偏向プリズム３３０は、第１の屈折面３３１、第１の反射面３３２、第２の屈折面３３３、及び第３の屈折面３３４を含んでよい。
【００４１】
第１の屈折面３３１は、送信器用光路サブアセンブリ３１０に面して配置される。第１の屈折面３３１には膜が設けられる。当該膜は、放射光を十分に透過し且つ受信光を十分に反射するように構成される。任意選択で、第１の屈折面３３１に膜がメッキされてもよく、又は第１の屈折面３３１に膜が塗られてもよく、又は第１の屈折面３３１に膜が貼られてももちろんよい。これは、限定されるものではない。実際の実装では、膜は第１の屈折面３３１の全体を覆う。
【００４２】
膜は、放射光を十分に透過し且つ受信光を十分に反射するように構成される。具体的には、放射光は、第１の屈折面３３１を透過する場合、直接透過的に送信され、光の伝搬方向を変えることなく継続して送信される。しかしながら、受信光が第１の屈折面３３１を透過する場合、受信光は反射される。したがって、受信光の伝搬方向が変わる。任意選択で、送信器用光路サブアセンブリ３１０により生成される放射光の経路がｍ個あってよい。放射光の各経路は１つの波長に対応する。膜は、ｍ個の波長を有する全ての放射光を透過的に送信するように構成される。放射光の各経路は、１つの送信光路を用いて送信されてよい（本実施形態で説明される送信光路は、放射光の生成で始まり、光ファイバインタフェース３４０を介した放射光の外部への送信で終わる完結した光路である）。光ファイバインタフェース３４０からの受信光の経路がｎ個あってよい。受信光の各経路は１つの波長に対応する。膜は、ｎ個の波長を有する全ての受信光を反射するように構成される。受信光の各経路は、１つの受信光路を用いて送信さる（図３には、１つの受信光路３６０及び１つの送信光路３７０が概略的に示されている）。前述では、ｍ及びｎは１より大きい整数であり、ｍ及びｎの値が同じであっても異なっていてもよい。例えば、ｍ＝ｎ＝４であり、波長がλ１、λ２、λ３、及びλ４となる放射光の経路が４つあり、波長がλ５、λ６、λ７、及びλ８となる受信光の経路が４つあると仮定する。この場合、波長がλ１、λ２、λ３、及びλ４の光が膜を透過した後に、当該光は膜を透過し、継続して送信され得る。一方、波長がλ５、λ６、λ７、及びλ８の光が膜を透過した後に、膜は当該光を反射する。
【００４３】
実際の実装では、ＢＯＳＡが多重化するのに必要な、放射光の様々な経路の波長（例えば、上述したλ１、λ２、λ３、及びλ４）及び受信光の様々な経路の波長（例えば、上述したλ５、λ６、λ７、及びλ８）に基づいて、膜の材料が選択されてよい。これは、本実施形態において限定されるものではない。
【００４４】
第１の反射面３３２は、膜により反射された受信光を第３の屈折面３３４に反射するように構成される。第１の屈折面３３１に設けられた膜が受信光を反射した後に、受信光は、第１の反射面３３２により反射され、第３の屈折面３３４に届く。本実施形態における第１の反射面３３２は、第１の屈折面３３１により反射された受信光が第３の屈折面３３４に反射されるときに用いられる全ての反射面の一般名称である。実際の実装では、第１の反射面３３２は１つの表面であってもよく、又は複数の表面であってもよい。これは、本実施形態において限定されるものではない。
【００４５】
第２の屈折面３３３は、光ファイバインタフェース３４０に面して配置される。第２の屈折面３３３は、第１の屈折面３３１により透過的に送信された放射光を光ファイバインタフェース３４０に伝搬させ、光ファイバインタフェース３４０からの受信光を第１の屈折面３３１に伝搬させるように構成される。
【００４６】
第３の屈折面３３４は、受信器用光サブアセンブリ３２０に面して配置される。第３の屈折面３３４は、第１の屈折面３３１により反射された受信光を受信器用光サブアセンブリ３２０に伝搬させるように構成される。
【００４７】
任意選択で、送信器用光路サブアセンブリ３１０は、送信側の光路偏向コンポーネント３１１を含んでよい。受信用偏向プリズム３３０は、送信側の光路偏向コンポーネント３１１に面してよい。送信側の光路偏向コンポーネント３１１は、送信用偏向プリズムであっても、平面光波回路（Ｐｌａｎａｒ  Ｌｉｇｈｔｗａｖｅ  Ｃｉｒｃｕｉｔ、ＰＬＣ）であってもよい。図３では、送信側の光路偏向コンポーネント３１１が送信用偏向プリズムである一例が、単に説明のために用いられる。これは、本実施形態において限定されるものではない。ＰＬＣは、アレイ導波路回折格子（Ａｒｒａｙ  Ｗａｖｅｇｕｉｄｅ  Ｇｒａｔｉｎｇ、ＡＷＧ）、マッハツェンダー干渉計（Ｍａｃｈ−Ｚｅｈｎｄｅｒ  Ｉｎｔｅｒｆｅｒｏｍｅｔｅｒ、ＭＺＩ）、又はフォトニック結晶（Ｐｈｏｔｏｎｉｃ  Ｃｒｙｓｔａｌ、ＰＣ）などであってよい。これは、限定されるものではない。
【００４８】
任意選択で、送信器用光路サブアセンブリ３１０はさらに、アイソレータ３１２を含んでよい。アイソレータ３１２は、送信側光路偏向コンポーネント３１１と受信用偏向プリズム３３０との間に位置し、アイソレータ３１２は、ＢＯＳＡにおいて放射光以外の光を分離するように構成される。実際の実装では、スペーサ３５０が送信器用光路サブアセンブリ３１０と受信器用光サブアセンブリ３２０との間に配置されて、放射光と受信光との間の相互干渉を回避し得る。放射光を受信用偏向プリズム３３０に送信するのに用いられる間隙が、スペーサ３５０に設けられる。アイソレータ３１２は、当該間隙に配置されてよい。これは、限定されるものではない。
【００４９】
受信用偏向プリズム３３０にある、送信器用光路サブアセンブリ３１０と面する第１の屈折面３３１に膜が設けられ、膜３３２は放射光を十分に透過する。したがって、送信器用光路サブアセンブリ３１０が放射光を放射した後に、放射光は、受信用偏向プリズム３３０を透過して光ファイバインタフェース３４０に届いてよく、次いで、光ファイバインタフェース３４０により外部に送出される。同様に、膜は受信光を十分に反射する。したがって、光ファイバインタフェース３４０が受信光を受信した後に、当該受信光は受信用偏向プリズム３３０を通って送信器用光路サブアセンブリ３１０に届くことはない。これにより、送信器用光路サブアセンブリ３１０での干渉が回避される。
【００５０】
もちろん、実際の実装では、送信器用光路サブアセンブリ３１０はさらに別のコンポーネントを含んでよい。例えば、図３を参照すると、送信器用光路サブアセンブリ３１０は、第２の方向２２に並んで配置されたｍ個のバックライト３１３と、第２の方向２２に並んで配置されたｍ個の送信用チューブコア３１４と、第２の方向２２に並んで配置されたｍ個の送信用収束レンズ３１５と、第２の方向２２に並んで配置されたｍ個の送信側光分離膜３１６などを、第１の方向１１に連続的に含む。ここで、ｍは放射光の経路数であり、ｍの値はｎの値と同じであっても、異なっていてもよい。これは、本実施形態において限定されるものではない。
【００５１】
受信器用光サブアセンブリ３２０は、第３の屈折面３３４に面するｎ個の受信用光分離膜３２１を含む。
【００５２】
ｉ＜ｎの場合、第ｉの受信用光分離膜が、第３の屈折面３３４によって伝搬する受信光の１つの経路を透過的に送信し、受信用偏向プリズム３３０の第２の反射面３３５に受信光の別の経路を反射するように構成される。第２の反射面３３５は、受信光の別の経路を反射し、受信光の別の経路を第３の屈折面３３４を介して第（ｉ＋１）の受信用光分離膜に伝搬させるように構成される。ここで、１≦ｉ≦ｎであり、第１の受信用光分離膜は、ｎ個の受信用光分離膜３２１のうち送信器用光路サブアセンブリ３１０に面する膜である。
【００５３】
第１の受信用光分離膜は送信器用光路サブアセンブリ３１０に面するため、ｎ個の受信用光分離膜のうちの第１の受信用光分離膜は、第１の屈折面３３１により反射される受信光を最初に受信し、受信した受信光の受信経路のうちの１つを透過的に送信し、受信光の別の経路を受信用偏向プリズム３３０に反射し、受信用偏向プリズム３３０の第２の反射面３３５を用いて受信光の別の経路を第２の受信用光分離膜に反射する。同様に、第２の受信用光分離膜は、受信した受信光の受信経路のうちの１つを透過的に送信し、受信光の別の経路を受信用偏向プリズム３３０に反射し、受信用偏向プリズム３３０の第２の反射面３３５を用いて受信光の別の経路を第２の受信用光分離膜に反射するといった具合に、最後の受信用光分離膜が受信光の最後の経路を受信するまで続く。本実施形態で説明される第２の反射面３３５は、受信用偏向プリズム３３０の前の受信用光分離膜により反射された受信光を次の受信用光分離膜に反射するように構成されている表面である。実際の実装では、第２の反射面３３５が１つ又は複数あってよい。これは、本実施形態において限定されるものではない。さらに、第２の反射面３３５及び第１の反射面３３２は同じ反射面であってもよく、又は異なる反射面であってもよい。これは、限定されるものではない。
【００５４】
ｉ＝ｎの場合、第ｉの受信用光分離膜は、第３の屈折面３３４によって伝搬する受信光の１つの経路を透過的に送信するように構成される。
【００５５】
例えば、図３を参照すると、ｎ＝４であり、４つの受信用光分離膜は、連続的に左から右に、第１の受信用光分離膜、第２の受信用光分離膜、第３の受信用光分離膜、及び第４の受信用光分離膜である。受信用偏向プリズム３３０は図３に示す形状であり、第１の受信用光分離膜は受信用偏向プリズム３３０により送出される受信光を最初に受信すると仮定する。この場合、第１の受信用光分離膜は、受信光の４つの経路のうち波長がλ５の受信光を透過的に送信し、波長がλ６、λ７、及びλ８の受信光を反射し、波長がλ６、λ７、及びλ８の受信光を第２の反射面３３５に反射してよい。第２の反射面３３５は、波長がλ６、λ７、及びλ８の受信光を第２の受信用光分離膜に反射する。第２の受信用光分離膜は、受信光の３つの受信経路のうち、すなわち、波長がλ６、λ７、及びλ８の受信光のうち、波長がλ６の受信光を透過的に送信し、波長がλ７及びλ８の受信光を第２の反射面３３５に反射してよい。第２の反射面３３５は、波長がλ７及びλ８の受信光を第３の受信用光分離膜に反射する。同様に、第３の受信用光分離膜は、受信光の２つの受信経路のうち、すなわち、波長がλ７及びλ８の受信光のうち、波長がλ７の受信光を透過的に送信し、波長がλ８の受信光を第２の反射面３３５に反射してよい。第２の反射面３３５は、波長がλ８の受信光を第４の受信用光分離膜に反射する。第４の受信用光分離膜は、波長がλ８の受信光の受信経路を透過的に送信してよい。
【００５６】
任意選択で、受信器用光サブアセンブリ３２０はさらに、第１の方向１１に並んで配置されたｎ個の収束レンズ３２２と、第１の方向１１に並んで配置されたｎ個の受信用チューブコア３２３とを、第２の方向２２に連続的に含んでよい。ここでｎは、１より大きい整数であり、ｎは受信光の経路数を示す。実際の実装では、受信用チューブコア３２３はアバランシェフォトダイオード（Ａｖａｌａｎｃｈｅ  ｐｈｏｔｏｄｉｏｄｅ、ＡＰＤ）であっても、フォトダイオード（Ｐｈｏｔｏ−Ｄｉｏｄｅ、ＰＤ）であってもよい。これは、本実施形態において限定されるものではない。
【００５７】
光ファイバインタフェース３４０は、コリメート光レセプタクルであってよい。この場合、放射光及び受信光は光ファイバインタフェース３４０において並列に送信される。コリメート光レセプタクルは、送信器及び受信器の結合効率を向上させ、受信器の感度を向上させるのに用いられる。実際の実装では、光ファイバインタフェース３４０は、ＳＣレセプタクル（Ｓｑｕａｒｅ  Ｃｏｎｎｅｃｔｏｒ  Ｒｅｃｅｐｔａｃｌｅ）であっても、ＬＣレセプタクル（Ｌｉｔｔｌｅ  Ｃｏｎｎｅｃｔｏｒ  Ｒｅｃｅｐｔａｃｌｅ）であってもよい。これは、本実施形態において限定されるものではない。
【００５８】
さらに留意する必要がある第１のポイントは、ＢＯＳＡがさらにレーザダイオードドライバ（Ｌａｓｅｒ  Ｄｉｏｄｅ  Ｄｒｉｖｅｒ，  ＬＤＤ）チップを組み込んでもよいということである。ＬＤＤドライバは、受信用チューブコア３２３及び送信用チューブコア３１４を制御するように構成される。詳細は本明細書では説明しない。
【００５９】
さらに留意する必要がある第２のポイントは、実際の実装では、ＢＯＳＡがクワッドスモールフォームファクタプラガブル光モジュール２８（Ｑｕａｄ  Ｓｍａｌｌ  Ｆｏｒｍ−ｆａｃｔｏｒ  Ｐｌｕｇｇａｂｌｅ  ２８、ＱＳＦＰ  ２８）を用いてパッケージ化され得るということである。ＢＯＳＡをパッケージ化する段階は、以下の段階を含んでよい。
（１）受信用チューブコアを固定する。受信用チューブコアを固定する際の誤差は３μｍ未満であってよく、通常は１μｍである。
（２）受信用偏向プリズムを固定し、受信器用光サブアセンブリの第１の方向の面に、コンポーネントを固定して調整する。例えば、図３を参照すると、受信器用光サブアセンブリのλ５に対応する受信用光分離膜及び収束レンズが、光路結合を実現するように固定され調整されてよい。
（３）受信器用光サブアセンブリの第１の方向の他の面に、コンポーネントを固定して調整する。例えば、λ８に対応する受信用光分離膜及び収束レンズが、光路結合を実現するように固定され調整されてよい。
（４）これらのコンポーネントが固定された受信器用光サブアセンブリの２つの面の間に位置するコンポーネントの様々な経路を固定して調整し、光路結合を実現する。
（５）送信器用光路サブアセンブリの送信用チューブコアを固定し、受信用偏向プリズムに隣接した、送信器用光路サブアセンブリ内にあるコンポーネント（すなわち、送信用偏向プリズムにより反射されない放射光の経路を送信するコンポーネント）の経路を固定して調整する。例えば、並列光結合を実現するように図３のλ１に対応するコンポーネントを固定する。
（６）送信器用光路サブアセンブリの第２の方向にある固定されたコンポーネントから離れたコンポーネントの経路を固定して調整する。例えば、光路結合を実現するように図３のλ４に対応するコンポーネントを固定する。
（７）送信用偏向プリズムを固定し、複数のコンポーネントの他のいくつかの経路を固定する。送信器用光路サブアセンブリ及び受信器用光サブアセンブリは両方とも、フレキシブルプリント回路（Ｆｌｅｘｉｂｌｅ  Ｐｒｉｎｔｅｄ  Ｃｉｒｃｕｉｔ、ＦＰＣ）基板に固定され、受信器用光サブアセンブリが位置するＦＰＣは、固定されたコンポーネントが位置する表面とは反対の方向に曲がる。これは、本実施形態において限定されるものではない。
【００６０】
送信器用光路サブアセンブリ及び受信器用光サブアセンブリが図に示す構造である一例が、単に図３に用いられていることに、さらに留意されたい。実際の実装では、受信器用光サブアセンブリは、代替的に時計回りに１８０°回転してよい。この場合、送信器用光路サブアセンブリの送信側光路偏向コンポーネントも、これに応じて時計回りに１８０°回転してよい。これは、本実施形態において限定されるものではない。
【００６１】
本実施形態では、波長分割多重化サブアセンブリ３３０が受信用偏向プリズムである一例が、単に用いられている。実際の実装では、波長分割多重化サブアセンブリ３３０は代替的にＰＬＣであってもよい。これは、本実施形態において限定されるものではない。
【００６２】
最後に、本実施形態において提供されるＢＯＳＡによれば、波長分割多重化サブアセンブリは、送信器用光路サブアセンブリからの放射光を光ファイバインタフェースに透過的に送信し、光ファイバインタフェースからの受信光を受信器用光サブアセンブリに反射する。すなわち、送信器用光路サブアセンブリ及び受信器用光サブアセンブリは、１つの波長分割多重化サブアセンブリを共有する。これにより、ＢＯＳＡ内のサブアセンブリの数が減少し、ＢＯＳＡのサイズが縮小されるので、ＢＯＳＡのサイズが比較的大きいために使用要件を満たすことができないという先行技術の問題が解決され、ＢＯＳＡのサイズ縮小の効果が達成される。さらに、ＲＯＳＡ及びＴＯＳＡのサブアセンブリが別々に配置されるので、ＢＯＳＡのサブアセンブリはよりコンパクトに配置される。これにより、ＢＯＳＡのサイズがさらに縮小する。
【００６３】
図４は、本発明の別の実施形態によるＢＯＳＡの概略図である。図４に示すように、当該ＢＯＳＡは、送信器用光路サブアセンブリ４１０、受信器用光サブアセンブリ４２０、波長分割多重化サブアセンブリ４３０、及び光ファイバインタフェース４４０を含む。
【００６４】
波長分割多重化サブアセンブリ４３０は、ｎ個の予め設けられた膜を含む。ｎ個の予め設けられた膜４３０は、第１の方向３３に並列に配置される。さらに、ｎ個の予め設けられた膜４３０は、送信器用光路サブアセンブリ４１０と並んで第１の方向に配置され、且つ受信器用光サブアセンブリ４２０と並んで第２の方向４４に配置される。ここで、ｎは１より大きい整数であり、ｎは受信光の経路数を示し、第１の方向３３は第２の方向４４に対して垂直である。送信器用光路サブアセンブリ４１０は、受信器用光サブアセンブリ４２０と並んで第１の方向３３に配置されてよく、これにより、ＢＯＳＡの体積が縮小される。
【００６５】
本実施形態では、送信器用光路サブアセンブリ４１０の構造が、前述の実施形態における送信器用光路サブアセンブリの構造と類似している。例えば、図４を参照すると、送信器用光路サブアセンブリ４１０は、第２の方向４４に並んで配置されたｍ個のバックライト４１１と、第２の方向４４に並んで配置されたｍ個の送信用チューブコア４１２と、第２の方向４４に並んで配置されたｍ個の送信用収束レンズ４１３と、第２の方向４４に並んで配置されたｍ個の送信側光分離膜４１４と、送信側光路偏向コンポーネント４１５と、アイソレータ４１６などを第１の方向３３に連続的に含み、ｍは放射光の経路数を示す。受信器用光サブアセンブリ４２０の構造が、前述の実施形態における受信器用光サブアセンブリの構造と類似している。例えば、受信器用光サブアセンブリ４２０は、第１の方向３３に並んで配置されたｎ個の受信用光分離膜４２１と、第１の方向３３に並んで配置されたｎ個の収束レンズ４２２と、第１の方向３３に並んで配置されたｎ個の受信用チューブコア４２３とを第２の方向４４に連続的に含み、ｎは１より大きい整数であり、ｎは受信光の経路数を示す。前述の実施形態とは異なり、本実施形態では、波長分割多重化サブアセンブリ４３０は、受信用偏向プリズムの代わりにｎ個の予め設けられた膜４３０を用いる。ｎ個の予め設けられた膜４３０のそれぞれは、放射光を透過的に送信するように構成される。
【００６６】
ｊ＜ｎの場合、第ｊの予め設けられた膜は、受信光の様々な経路のうちの１つを受信器用光サブアセンブリ４２０に反射し、受信光の別の経路を第（ｊ＋１）の予め設けられた膜に透過的に送信するように構成される。ここで、１≦ｊ≦ｎであり、第１の予め設けられた膜は、ｎ個の予め設けられた膜のうち光ファイバインタフェース４４０に面する膜である。
【００６７】
実際の実装では、ｎ個の予め設けられた膜４３０は、光ファイバインタフェース４４０と並んで第１の方向３３に配置され、第１の予め設けられた膜は光ファイバインタフェース４４０に面している。したがって、光ファイバインタフェース４４０が受信光を受信した後に、第１の予め設けられた膜は、光ファイバインタフェース４４０によって伝搬する受信光を最初に受信し、受信光の受信経路のうちの１つを反射し、受信光の別の経路を第２の予め設けられた膜に透過的に送信する。同様に、第２の予め設けられた膜は、受信光の受信経路のうちの１つを反射し、受信光の別の経路を第３の予め設けられた膜に透過的に送信するといった具合に、第ｎの予め設けられた膜が受信光の最後の経路を受信するまで続く。
【００６８】
ｊ＝ｎの場合、第ｊの予め設けられた膜は、第（ｊ−１）の予め設けられた膜により透過的に送信された受信光の１つの経路を受信器用光サブアセンブリ４２０に反射するように構成される。
【００６９】
例えば、ｎ＝４である。図４を参照すると、４つの予め設けられた膜のうち光ファイバインタフェース４４０に最も近い予め設けられた膜が第１の予め設けられた膜であると仮定し、次に第２の予め設けられた膜、第３の予め設けられた膜、及び第４の予め設けられた膜が右から左に連続的に続く。この場合、第１の予め設けられた膜はλ８を反射し、λｔｘ、λ５、λ６、及びλ７を透過的に送信する。第２の予め設けられた膜はλ７を反射し、λｔｘ、λ５、及びλ６を透過的に送信する。第３の予め設けられた膜はλ６を反射し、λｔｘ及びλ５を透過的に送信する。第４の予め設けられた膜はλ５を反射し、λｔｘを透過的に送信する。ここでλｔｘは、放射光の様々な経路、例えば、図４に示すλ１、λ２、λ３、及びλ４を示す。
【００７０】
ｎ個の予め設けられた膜４３０のそれぞれは、反射され得る受信光を受信器用光サブアセンブリ４２０に反射し、透過的に送信され得る光を別のコンポーネントに透過的に送信してよい。予め設けられた膜４３０の構造は、本実施形態において限定されるものではない。例えば、図５の（１）図及び（２）図はそれぞれ、受信器用光サブアセンブリ４２０が上面図においてｎ個の予め設けられた膜４３０の上方に位置する場合のｎ個の予め設けられた膜４３０の位置関係と、受信器用光サブアセンブリ４２０が上面図においてｎ個の予め設けられた膜４３０の下方に位置する場合のｎ個の予め設けられた膜４３０の位置関係とを示す。
【００７１】
送信器用光路サブアセンブリ４１０が放射光を放射した後に、ｎ個の予め設けられた膜４３０が放射光を透過的に送信するので、放射光はｎ個の予め設けられた膜４３０を通って光ファイバインタフェース４４０に届き、次いで外部に送出されてよい。光ファイバインタフェース４４０が受信光を受信した後に、図４を参照すると、第１の予め設けられた膜は、受信光の４つの経路のうち波長がλ８の受信光を反射する、すなわち、受信光を収束レンズ４２２に送信し（当該受信光は受信用チューブコア４２３に届く）、波長がλ５、λ６、及びλ７の受信光を第２の予め設けられた膜に透過的に送信する。第２の予め設けられた膜は、波長がλ７の受信光を反射し（当該受信光は最終的に受信用チューブコア４２３に届く）、波長がλ５及びλ６の受信光を第３の予め設けられた膜に透過的に送信する。第３の予め設けられた膜は、波長がλ６の受信光を反射し（当該受信光は最終的に受信用チューブコア４２３に届く）、波長がλ５の受信光を第４の予め設けられた膜に透過的に送信する。第４の予め設けられた膜は、波長がλ５の受信光を反射し、当該受信光は受信用チューブコア４２３に届く。実際の実装では、送信器用光路サブアセンブリ４１０は、ｎ個の予め設けられた膜４３０に隣接したアイソレータを含んでよい。アイソレータは、ＢＯＳＡにおいて放射光以外の光を分離するように構成される。
【００７２】
本実施形態では、光ファイバインタフェース４４０はコリメート光レセプタクルであってよい。この場合、放射光及び受信光は、光ファイバインタフェース４４０において並列に送信される。コリメート光レセプタクルは、送信器及び受信器の結合効率を向上させ、受信器の感度を向上させるのに用いられる。実際の実装では、光ファイバインタフェース４４０は、ＳＣレセプタクルであっても、ＬＣレセプタクルであってもよい。これは、限定されるものではない。
【００７３】
実際の実装では、ＢＯＳＡはＱＳＦＰ２８を用いてパッケージ化されてよい。パッケージ化の各段階は以下のとおりである。
（１）受信用チューブコアを固定する。
（２）第ｊの予め設けられた膜と、第ｊの予め設けられた膜と並んで第２の方向に配置された受信用光分離膜と、収束レンズとを固定して調整する。ここで、１≦ｊ≦ｎであり、ｊの開始値は１である。
（３）ｊ＜ｎの場合、ｊ＋１が実行され、段階（２）が再度実行される。ｊ＝ｎの場合、段階（４）が実行される。
（４）送信用チューブコアを固定し、第ｎの予め設けられた膜に隣接したコンポーネントの経路（すなわち、送信用偏向プリズムにより反射されない受信光を送信するコンポーネントの経路）を固定して調整し、並列光結合を実現する。
（５）送信器用光路サブアセンブリの第２の方向にある固定されたコンポーネントから離れたコンポーネントの経路を固定して調整し、光路結合を実現する。
（６）送信用偏向プリズムを固定し、複数のコンポーネントの他のいくつかの経路を固定する。
【００７４】
前述の実施形態と同様に、本実施形態において、受信器用光サブアセンブリ４２０は時計回りに１８０°回転してよいことに留意されたい。これに応じて、送信器用光路サブアセンブリ４１０の送信用偏向プリズムも、時計回りに１８０°回転してよい。詳細は、本明細書では説明しない。
【００７５】
最後に、本実施形態において提供されるＢＯＳＡによれば、波長分割多重化サブアセンブリは、送信器用光路サブアセンブリからの放射光を光ファイバインタフェースに透過的に送信し、光ファイバインタフェースからの受信光を受信器用光サブアセンブリに反射する。すなわち、送信器用光路サブアセンブリ及び受信器用光サブアセンブリは、１つの波長分割多重化サブアセンブリを共有する。これにより、ＢＯＳＡ内のサブアセンブリの数が減少し、ＢＯＳＡのサイズが縮小されるので、ＢＯＳＡのサイズが比較的大きいために使用要件を満たすことができないという先行技術の問題が解決され、ＢＯＳＡのサイズ縮小の効果が達成される。さらに、ＲＯＳＡ及びＴＯＳＡのサブアセンブリが別々に配置されるので、ＢＯＳＡのサブアセンブリはよりコンパクトに配置される。これにより、ＢＯＳＡのサイズがさらに縮小する。
【００７６】
図６を参照すると、図６は、本発明のさらに別の実施形態によるＢＯＳＡの概略図を示す。図６に示すように、当該ＢＯＳＡは、送信器用光路サブアセンブリ６１０、受信器用光サブアセンブリ６２０、波長分割多重化サブアセンブリ６３０、及び光ファイバインタフェース６４０を含む。
【００７７】
送信器用光路サブアセンブリ６１０及び受信器用光サブアセンブリ６２０は、第１の方向６６に並んで配置される。例えば、図６を参照すると、送信器用光路サブアセンブリ６１０及び受信器用光サブアセンブリ６２０は、鉛直方向に配置されてよい。任意選択で、送信器用光路サブアセンブリ６１０の各コンポーネントは、第２の方向７７に並んで配置されてよい。例えば、送信器用光路サブアセンブリ６１０は、第１の方向６６に並んで配置されたｍ個のバックライト６１１と、第１の方向６６に並んで配置されたｍ個の送信用チューブコア６１２と、第１の方向６６に並んで配置されたｍ個の送信用収束レンズ６１３と、第１の方向６６に並んで配置されたｍ個の送信用光分離膜６１４と、送信側光路偏向コンポーネント６１５とを第２の方向７７に連続的に含み、ｍは放射光の経路数を示す。同様に、受信器用光サブアセンブリ６２０の各コンポーネントは、第２の方向７７に並んで配置されてよい。例えば、受信器用光サブアセンブリ６２０は、第１の方向４４に並んで配置されたｎ個の受信用チューブコア６２１と、第１の方向６６に並んで配置されたｎ個の受信用収束レンズ６２２と、第１の方向６６に並んで配置されたｎ個の受信用光分離膜６２３と、受信用偏向プリズム６２４とを第２の方向７７に連続的に含み、ｎは受信光の経路数を示し、ｎは２より大きい又は２に等しい整数である。実際の実装では、ｍ及びｎは同じであっても、異なっていてもよい。これは、限定されるものではない。
【００７８】
送信器用光路サブアセンブリ６１０は、光ファイバインタフェース６４０と並んで第２の方向７７に配置されてよい。
【００７９】
実際の実装では、波長分割多重化サブアセンブリ６３０は、第１の光路偏向コンポーネント６３１と第２の光路偏向コンポーネント６３２とを含む。第１の光路偏向コンポーネント６３１及び送信器用光路サブアセンブリ６１０は、第２の方向７７に並んで配置される。第１の光路偏向コンポーネント６３１は、光ファイバインタフェース６４０に隣接している。第２の光路偏向コンポーネント６３２及び受信器用光サブアセンブリ６２０は、第２の方向７７に並んで配置される。第１の光路偏向コンポーネント６３１は、送信器用光路サブアセンブリ６１０により放射された放射光を光ファイバインタフェース６４０に送信し、当該放射光を外部に送出するように構成される。任意選択で、第１の光路偏向コンポーネント６３１はさらに、光ファイバインタフェース６４０により受信された受信光を、第２の光路偏向コンポーネント６３２を介して受信器用光サブアセンブリ６２０に送信するように構成される。第２の光路偏向コンポーネント６３２は、第１の光路偏向コンポーネント６３１により反射された受信光を受信器用光サブアセンブリ６２０に送信するように構成される。
【００８０】
第１の光路偏向コンポーネント６３１は、４５°光分離プリズムであっても、４５°光分離膜であってもよい。第２の光路偏向コンポーネント６３２は、偏向プリズムであっても、偏向膜であってもよい。これは、限定されるものではない。第２の光路偏向コンポーネント６３２は、第１の光路偏向コンポーネント６３１に隣接してもよく、又は第１の光路偏向コンポーネント６３１から離れて配置されてもよい。これは、本実施形態において限定されるものではない。さらに、実際の実装では、第２の光路偏向コンポーネント６３２を配置する方向が、受信用偏向プリズムを配置する位置によって変わる。基本となる原則は、第２の光路偏向コンポーネント６３２は第１の光路偏向コンポーネント６３１により送信された受信光を受信用偏向プリズムに送出することができ、受信用偏向プリズムは当該受信光をそれぞれの受信用チューブコアに送出することである。
【００８１】
実際の実装では、ＢＯＳＡはＱＳＦＰ２８を用いてパッケージ化されてよい。パッケージ化の各段階は以下のとおりである。
（１）第１の光路偏向コンポーネント及び第２の光路偏向コンポーネントを固定する。
（２）受信用チューブコアを固定する。
（３）受信用偏向プリズムを固定し、受信器用光サブアセンブリの第２の光路偏向コンポーネントに隣接したコンポーネント（すなわち、受信用偏向プリズムにより反射されない受信光の経路を受信するコンポーネント）の経路を固定して調整する。
（４）受信器用光サブアセンブリの第１の方向にある固定されたコンポーネントから離れたコンポーネントの経路を固定して調整する。
（５）受信器用光サブアセンブリの固定されたコンポーネントの２つの経路間に位置するコンポーネントの様々な経路を順に固定して調整する。
（６）送信用チューブコアを固定し、送信器用光路サブアセンブリの第１の光路偏向コンポーネントに隣接したコンポーネントの経路（すなわち、送信用偏向プリズムにより反射されない放射光を送信するコンポーネントの経路）を固定して調整し、並列光結合を実現する。
（７）送信器用光路サブアセンブリの第１の方向にある固定されたコンポーネントから離れたコンポーネントの経路を固定して調整し、光路結合を実現する。
（８）送信用偏向プリズムを固定し、複数のコンポーネントの他のいくつかの経路を固定する。
【００８２】
最後に、本実施形態において提供されるＢＯＳＡによれば、波長分割多重化サブアセンブリは、送信器用光路サブアセンブリからの放射光を光ファイバインタフェースに透過的に送信し、光ファイバインタフェースからの受信光を受信器用光サブアセンブリに反射する。すなわち、送信器用光路サブアセンブリ及び受信器用光サブアセンブリは、１つの波長分割多重化サブアセンブリを共有する。これにより、ＢＯＳＡ内のサブアセンブリの数が減少し、ＢＯＳＡのサイズが縮小されるので、ＢＯＳＡのサイズが比較的大きいために使用要件を満たすことができないという先行技術の問題が解決され、ＢＯＳＡのサイズ縮小の効果が達成される。さらに、ＲＯＳＡ及びＴＯＳＡのサブアセンブリが別々に配置されるので、ＢＯＳＡのサブアセンブリはよりコンパクトに配置される。これにより、ＢＯＳＡのサイズがさらに縮小する。
【００８３】
送信側光路偏向コンポーネントが送信用偏向プリズムである一例が、図３、図４、及び図６に用いられている。任意選択で、図７、図８、及び図９を参照すると、送信側光路偏向コンポーネントは、代替的にＰＬＣであってもよい。さらに、これらの図に示すように、送信側光路偏向コンポーネントがＰＬＣの場合、送信器用光路サブアセンブリは、送信側光分離膜を含まなくてよい。詳細は、本実施形態ではここで説明しない。
【００８４】
前述の説明は、本願の単なる具体的な実装例であって、本願の保護範囲を限定する意図はない。本願において開示された技術範囲内で、当業者が容易に考え出すあらゆる変形又は置換は、本願の保護範囲に含まれることになる。したがって、本願の保護範囲は特許請求の範囲の保護範囲によって決まることになる。
【図１】
0006927628.tif 000002
【図２】
0006927628.tif 000003
【図３】
0006927628.tif 000004
【図４】
0006927628.tif 000005
【図５】
0006927628.tif 000006
【図６】
0006927628.tif 000007
【図７】
0006927628.tif 000008
【図８】
0006927628.tif 000009
【図９】
0006927628.tif 000010